(57)【要約】      （修正有）【課題】外観デザインを簡単に変更し、デザインに自由度を持たせることができるシート状積層印刷物を提供すること。【解決手段】台紙１０と、剥離可能に積層されると共に、最下層シート本体２１の裏面が台紙１０に対して接着された複数のシート本体２０と、複数のシート本体２０の各々に形成され、シート本体２０を破断する切込線３１によって少なくとも一部が区画されて積層方向下側のシート本体２０から剥離可能な剥離片３０と、を備えている。そして、剥離片３０は、積層方向上側の第１シート本体２０ａに形成された第１剥離片３０ａと、積層方向下側の第２シート本体２０ｂに形成された第２剥離片３０ｂとを、異なるデザインにする。また、第１剥離片３０ａは、第２剥離片３０ｂを覆っている。【選択図】図２
2019035783.tif 000002
【特許請求の範囲】
【請求項１】
台紙と、
剥離可能に積層されると共に、最下層の裏面が前記台紙に対して接着された複数のシート本体と、
複数の前記シート本体の各々に形成され、前記シート本体を破断する切込線によって少なくとも一部が区画されて積層方向下側のシート本体から剥離可能な剥離片と、を備え、
前記剥離片は、積層方向上側のシート本体に形成された上層剥離片が、積層方向下側のシート本体に形成された下層剥離片を覆い、前記上層剥離片と、前記下層剥離片とを異なるデザインにする
ことを特徴とするシート状積層印刷物。
【請求項２】
請求項１に記載されたシート状積層印刷物において、
前記剥離片のうち、前記上層剥離片と前記下層剥離片とは、同一形状に形成されると共に、互いに異なる印刷が施されている
ことを特徴とするシート状積層印刷物。
【請求項３】
請求項１又は請求項２に記載されたシート状積層印刷物において、
前記剥離片は、前記切込線と、前記切込線に連続すると共に前記シート本体を破断しない折曲げ線と、によって区画され、前記シート本体に対して折曲げ線を介して連結している
ことを特徴とするシート状積層印刷物。
【請求項４】
請求項３に記載されたシート状積層印刷物において、
前記剥離片は、両面に印刷が施されている
ことを特徴とするシート状積層印刷物。
【請求項５】
請求項３又は請求項４に記載されたシート状積層印刷物において、
前記シート本体には、剥離方向に沿って配置された複数の剥離片が形成され、
前記剥離片のうち、前記剥離方向の始端側に形成された第１剥離片は、剥離した状態で前記剥離方向の後端側に形成された第２剥離片に被さる大きさに設定されている
ことを特徴とするシート状積層印刷物。
【発明の詳細な説明】
【技術分野】
【０００１】
本発明は、複数のシート本体を剥離可能に積層して台紙に貼付したシート状積層印刷物に関する発明である。
【背景技術】
【０００２】
従来、複数の貼着自在のシールを台紙に積層したシート状積層印刷物が知られている（例えば、特許文献１参照）。
【先行技術文献】
【特許文献】
【０００３】
【特許文献１】特開２００４-１６０９０６号公報
【発明の概要】
【発明が解決しようとする課題】
【０００４】
ところで、従来のシート状積層印刷物では、積層したシールがすべて同じデザインのものである。そのため、積層方向上側の上層シールを剥がして積層方向下側の下層シールを露出させても、外観に変化は生じない。このため、シート状積層印刷物の外観を簡単に変更することができないという問題があった。
【０００５】
そこで、本発明は、外観デザインを簡単に変更し、デザインに自由度を持たせることができるシート状積層印刷物を提供することを目的としている。
【課題を解決するための手段】
【０００６】
上記目的を達成するため、本発明は、台紙と、複数のシート本体と、剥離片と、を備えたシート状積層印刷物である。
前記複数のシート本体は、剥離可能に積層されると共に、最下層のシート本体の裏面が台紙に対して剥離可能に接着されている。
前記剥離片は、複数のシート本体の各々に形成され、シート本体を破断する切込線によって少なくとも一部が区画されて積層方向下側のシート本体から剥離可能になっている。
そして、この剥離片は、積層方向上側のシート本体に形成された上層剥離片が、積層方向下側のシート本体に形成された下層剥離片を覆っている。さらに、上層剥離片と、下層剥離片とが異なるデザインにされている。
【発明の効果】
【０００７】
よって、本発明のシート状積層印刷物では、積層方向上側のシート本体に形成された上層剥離片を積層方向下側のシート本体から剥離すると、この上層剥離片によって覆われた下層剥離片が露出する。ここで、上層剥離片と下層剥離片とが異なるデザインされている。このため、下層剥離層を露出させることで、シート本体の外観を変更することができる。よって、外観デザインを簡単に変更し、デザインに自由度を持たせることができる。
【図面の簡単な説明】
【０００８】
【図１】実施例１のシート状積層印刷物の使用状態を示す外観斜視図である。
【図２】実施例１のシート状積層印刷物の分解斜視図である。
【図３】実施例１のシート状積層印刷物の使用前状態を示す外観斜視図である。
【図４】実施例１において、剥離片を剥離した状態を示す説明図である。
【図５】実施例１のシート状積層印刷物の使用例を示す説明図である。
【図６】実施例２のシート状積層印刷物を模式的に示す外観斜視図である。
【図７】実施例２のシート状積層印刷物の分解斜視図である。
【図８】実施例２のシート状積層印刷物での剥離片を剥離していく際の外観説明図であり、（ａ）は剥離片の剥離前を示し、（ｂ）は第１剥離片を剥離した状態を示し、（ｃ）は第２剥離片を剥離した状態を示し、（ｄ）は第３剥離片を剥離した状態を示す。
【図９】実施例２のシート状積層印刷物の第１使用例を示す説明図である。
【図１０】実施例２のシート状積層印刷物の第２使用例を示す説明図である。
【図１１】実施例２のシート状積層印刷物の第３使用例を示す説明図である。
【図１２】実施例２のシート状積層印刷物の第１変形例を示す分解斜視図である。
【図１３】実施例２のシート状積層印刷物の第２変形例を示す外観斜視図である。
【発明を実施するための形態】
【０００９】
以下、本発明のシート状積層印刷物を実施するための形態を、図面に示す実施例１及び実施例２に基づいて説明する。
【００１０】
（実施例１）
まず、実施例１のシート状積層印刷物の構成を、図１に示す実施例１のシート状積層印刷物の外観斜視図と、図２に示す実施例１のシート状積層印刷物の分解斜視図に基づいて説明する。
【００１１】
実施例１のシート状積層印刷物１は、台紙１０と、積層された複数のシート本体２０と、各々のシート本体２０に形成された剥離片３０と、を備えている。
【００１２】
台紙１０は、帯状の剥離紙である。ここで、剥離紙とは、紙や合成樹脂などのシート、膜、薄板など、厚みの薄い可撓性の面状材からなる基材の表面に剥離加工が施されたシート材である。なお「剥離加工」とは、基材表面に目止め層を介して剥離層を設けることである。また「目止め層」は、剥離層を構成する薬品が基材に染込む事を防止する層であり、例えばクレーコート層やＰＶＡ（ポリビニルアルコール）層等から構成されている。また「剥離層」は、粘着層（粘着剤）を剥離可能に貼着させる層であり、例えばシリコーン樹脂等から構成されている。なお、実施例１の台紙１０は、表面に印刷が施されている。
【００１３】
シート本体２０は、表面に剥離加工が施された厚みの薄い可撓性の面状材からなる基材と、基材の裏面に設けられた粘着層と、を有する帯状のシート材である。なお、「粘着層」は、基材を他の部材（他のシート本体２０等）に接着させる層であり、例えばアクリル系粘着剤やゴム系粘着剤等から構成されている。また、基材は、紙や合成樹脂などのシート、膜、薄板等で形成されている。そして、このシート本体２０には、表面に印刷が施されている。
【００１４】
シート本体２０は、図２に示すように複数（実施例１では上側から順に第１シート本体２０ａ、第２シート本体２０ｂ、第３シート本体２０ｃ、最下層シート本体２１の４枚）が積層されている。そして、積層方向（図２において矢印Ｘで示す方向）の上側に配置されたシート本体（例えば、最も上側に配置された第１シート本体２０ａ）の裏面に設けられた粘着層が、このシート本体（第１シート本体２０ａ）の積層方向の下側（直下）に配置されたシート本体（上側から二番目に配置された第２シート本体２０ｂ）の表面に貼着される。ここで、各シート本体２０の表面には、剥離加工が施されている。これにより、複数のシート本体２０は剥離可能に一体になっている。
【００１５】
また、積層された複数のシート本体２０うち、最下層に配置されたシート本体である最下層シート本体２１は、裏面が台紙１０に剥離可能に接着されている。ここで、最下層シート２１の裏面には、台紙１０に接触する領域のみに粘着層が設けられている。また、最下層シート２１が有する粘着層は、他のシート本体２０が有する粘着層よりも粘着力が高くなっている。これにより、最下層シート２１と台紙１０と間に作用する粘着力は、シート本体２０同士の間に作用する粘着力よりも高くなる。
【００１６】
さらに、複数のシート本体２０は、積層される際、異なる印刷が施されたシート本体２０同士が積層方向に接着されている。つまり、第１シート本体２０ａに施された印刷と第２シート本体２０ｂに施された印刷は異なる。また、第２シート本体２０ｂに施された印刷と第３シート本体２０ｃに施された印刷は異なる。さらに、第３シート本体２０ｃに施された印刷と最下層シート本体２１に施された印刷は異なる。なお、実施例１では、すべてのシート本体２０が互いに異なる印刷を施されているが、直接接着されるシート本体同士が異なる印刷を施されていればよい。そのため、シート状積層印刷物１は、同一の印刷が施されたシート本体２０を有していてもよい。
【００１７】
剥離片３０は、各シート本体２０に形成され、シート本体２０を破断する切込線３１によって区画されている。これにより、積層方向の上側に配置されたシート本体（例えば、第１シート本体２０ａ）に形成された第１剥離片３０ａは、積層方向の下側（直下）に配置された第２シート本体２０ｂから剥離可能になっている。特に、実施例１では、シート本体２０に設けられた切込線３１は、全ての両端がシート本体２０の周縁に達している。このため、各シート本体２０は多数の剥離片３０に分割されている。
【００１８】
また、剥離片３０を区画する切込線３１の位置は、積層方向の上側に配置されたシート本体（例えば、第１シート本体２０ａ）と、このシート本体（第１シート本体２０ａ）の積層方向の下側（直下）に配置されたシート本体（第２シート本体２０ｂ）との間で一致している。よって、積層方向の上側に配置されたシート本体（第１シート本体２０ａ）に形成された第１剥離片３０ａ（上層剥離片）と、この第１剥離片３０ａが重なった第２シート本体２０ｂに形成された第２剥離片３０ｂ（下層剥離片）とは、同一形状に形成される。
【００１９】
さらに、複数のシート本体２０は、異なる印刷が施されたシート本体２０同士が積層方向に接着されている。このため、例えば、積層方向に重なり合った第１剥離片３０ａ（上層剥離片）と第２剥離片３０ｂ（下層剥離片）とは互いに異なる印刷が施され、第１剥離片３０ａと第２剥離片３０ｂは、異なるデザインになる。ここで、「デザイン」とは、色彩や模様、文字、図柄等を含む。
【００２０】
次に、実施例１のシート状積層印刷物１の作用を説明する。
実施例１のシート状積層印刷物１は、図３に示すように、使用する前には全ての剥離片３０が剥離されておらず、複数のシート本体２０が積層されて台紙１０に貼付された外観となっている。つまり、シート状積層印刷物１としては、最も上側に配置された第１シート本体２０ａの表面の全面が露出している。
【００２１】
そして、このシート状積層印刷物１を使用するには、使用者によって任意の剥離片３０を剥離する。すなわち、図１に示すように、第１領域Ａでは、第１シート本体２０ａに形成された第１剥離片３０ａと、第２シート本体２０ｂに形成された第２剥離片３０ｂと、第３シート本体２０ｃに形成された第３剥離片３０ｃを剥離し、最下層シート本体２１に形成された第４剥離片３０ｄを露出する。また、第２領域Ｂ及び第５領域Ｅでは、すべてのシート本体２０に形成された剥離片３０を剥離し、台紙１０を露出する。また、第３領域Ｃでは、第１シート本体２０ａに形成された第１剥離片３０ａを剥離し、第２シート本体２０ｂに形成された第２剥離片３０ｂを露出する。さらに、第４領域Ｄ及び第６領域Ｆでは、剥離片３０を剥離せず、第１シート本体２０ａに形成された第１剥離片３０ａが露出されたままにする。そして、第７領域Ｇでは、第１シート本体２０ａに形成された第１剥離片３０ａと、第２シート本体２０ｂに形成された第２剥離片３０ｂを剥離し、第３シート本体２０ｃに形成された第３剥離片３０ｃを露出する。
【００２２】
これにより、図１に示す例では、第１領域Ａから第７領域Ｇに向かって、順に第４剥離片３０ｄ、剥離片３０なし（台紙１０）、第２剥離片３０ｂ、第１剥離片３０ａ、剥離片３０なし（台紙１０）、第１剥離片３０ａ、第３剥離片３０ｃが露出している。
【００２３】
このように、第１シート本体２０ａの表面の全面が露出している状態から、任意の剥離片３０を剥離することで、シート状積層印刷物１の外観デザインを変化させることができる。
【００２４】
なお、積層方向の上側に配置された剥離片（例えば、第１剥離片３０ａ）は、積層方向の下側に配置された剥離片（第２剥離片３０ｂ）と同一形状であり、この下側の剥離片（第２剥離片３０ｂ）を覆っている。そのため、積層方向の下側に配置された剥離片（第２剥離片３０ｂ）は、積層方向の上側に配置された剥離片（例えば、第１剥離片３０ａ）を剥離した後で、確実に剥離することができる。
【００２５】
そして、これに対し、例えば第４領域Ｄにおいて、第１シート本体２０ａに形成された第１剥離片３０ａを剥離した場合、図４に示すように、第４領域Ｄは第２シート本体２０ｂに形成された第２剥離片３０ｂが露出する。ここで、第１剥離片３０ａと第２剥離片３０ｂは、互いに異なる印刷が施されている。
【００２６】
そのため、積層方向の上側に配置された剥離片３０（第１剥離片３０ａ）を剥離することで、異なる印刷が施された積層方向下側に配置された剥離片３０（第２剥離片３０ｂ）を露出させることができる。これにより、図１に示す状態のシート状積層印刷物１の外観デザインと、図４に示す状態のシート状積層印刷物１の外観デザインとを異ならせることができる。よって、シート状積層印刷物１の外観デザインを簡単に変更することができ、デザインの自由度を向上させることができる。
【００２７】
なお、図４に示すように、剥離することでシート本体２０から分離した第１剥離片３０ａを、他の剥離片３０（例えば、図４では第６領域Ｆにて露出している第１剥離片３０ａ）の表面に貼り付けてもよい。このとき、新たに貼り付ける剥離片３０の位置を、他の剥離片３０の位置に対してずらすことで、剥離片３０の一部が重なり合ったデザインとすることができる。
これにより、さらにシート状積層印刷物１の外観デザインを異ならせることができ、デザイン自由度をさらに向上させることができる。
【００２８】
さらに、この実施例１では、剥離片３０を区画する切込線３１の位置が、積層方向の上側に配置されたシート本体（例えば、第１シート本体２０ａ）と、このシート本体（第１シート本体２０ａ）の積層方向の下側（直下）に配置されたシート本体（第２シート本体２０ｂ）との間で一致しており、第１剥離片３０ａ（上層剥離片）と、この第１剥離片３０ａが重なった第２剥離片３０ｂ（下層剥離片）とが同一形状に形成されている。
【００２９】
そのため、複数のシート本体２０を積層し、台紙１０に最下層シート本体２１を貼付した後、台紙１０を残して積層した複数のシート本体２０をハーフカットする。つまり、台紙１０には切込みを入れず、複数のシート本体２０に切込線３１を形成する。これにより、第１シート本体２０ａから最下層シート本体２１までの各シート本体２０に対して、一回のカット工程で剥離片３０を形成することができる。よって、このシート状積層印刷物１の製造工程が複雑になることを抑制できる。
【００３０】
そして、このシート状積層印刷物１は、長手方向に延在して長尺形状にした際、例えば図５に示すように、室内の壁面Ｗに台紙１０を固定し、壁飾り（ウォールステッカー）として用いることができる。
【００３１】
次に、効果を説明する。
実施例１のシート状積層印刷物１にあっては、下記に列挙する効果を得ることができる。
【００３２】
(1) 台紙１０と、
剥離可能に積層されると共に、最下層（最下層シート本体２１）の裏面が前記台紙１０に対して接着された複数のシート本体２０と、
前記複数のシート本体２０の各々に形成され、前記シート本体２０を破断する切込線３１によって少なくとも一部が区画されて積層方向下側のシート本体２０から剥離可能な剥離片３０と、を備え、
前記剥離片３０は、積層方向上側のシート本体（第１シート本体２０ａ）に形成された上層剥離片（第１剥離片３０ａ）が、積層方向下側のシート本体（第２シート本体２０ｂ）に形成された下層剥離片（第２剥離片３０ｂ）を覆い、前記上層剥離片（第１剥離片３０ａ）と、前記下層剥離片（第２剥離片３０ｂ）とを異なるデザインにする構成とした。
これにより、外観デザインを簡単に変更し、デザインに自由度を持たせることができる。
【００３３】
(2) 前記剥離片３０のうち、前記上層剥離片（第１剥離片３０ａ）と前記下層剥離片（第２剥離片３０ｂ）とは、同一形状に形成されると共に、互いに異なる印刷が施されている構成とした。
これにより、予め積層させた複数のシート本体２０をカットして切込線３１を形成することで、各シート本体２０に剥離片３０を形成することができ、製造工程の簡略化を図ることができる。
【００３４】
（実施例２）
まず、実施例２のシート状積層印刷物の構成を、図６に示す実施例２のシート状積層印刷物の外観斜視図と、図７に示す実施例２のシート状積層印刷物の分解斜視図に基づいて説明する。
【００３５】
実施例２のシート状積層印刷物１Ａは、剥離紙からなる台紙４０と、粘着層を介して剥離可能に積層された複数（実施例２では３枚）のシート本体５０と、各々のシート本体５０に形成された剥離片６０と、を備えている。なお、図６及び図７では、シート状積層印刷物１Ａにおける剥離片６０の一パターンを抜き出して示すが、台紙４０の左右方向、前後方向、又は左右前後方向に任意の数だけ剥離片６０のパターンを繰り返させることができる。
【００３６】
そして、この実施例２では、台紙４０が複数のシート本体５０のうちの最下層に配置された最下層シート本体５１の裏面の全面を覆う面積を有している。これにより、最下層シート本体５１に形成された第３剥離片６０ｃを剥離した際、この第３剥離片６０ｃによって覆われた領域の全面から台紙４０の表面が露出する。なお、この台紙４０の表面には、所定の印刷が施されている。
【００３７】
また、複数のシート本体５０は、それぞれ表裏両面に印刷が施されている。また、シート本体５０の裏面に設けられた粘着層は、例えば強圧着することで接着する接着剤を用いており、一度剥離したら再接着ができない構造とする。
【００３８】
そして、各シート本体５０に形成された剥離片６０は、いずれもシート本体５０を破断する切込線６１と、この切込線６１に連続すると共にシート本体５０を破断しない折曲げ線６２と、によって区画されている。すなわち、各シート本体５０に形成された剥離片６０は、それぞれ折曲げ線６２を介してシート本体５０に対して連結しており、剥離したときにシート本体５０から分離しない。
なお、切込線６１は、シート本体５０を破断する切り込みによって形成されており、折曲げ線６２は、カット部とアンカット部を交互に形成したいわゆるミシン目によって形成されている。
【００３９】
さらに、複数のシート本体５０のうち、最も上側に配置された第１シート本体５０ａに形成された第１剥離片６０ａと、上側から二番目に配置された第２シート本体５０ｂに形成された第２剥離片６０ｂと、最下層に配置された最下層シート本体５１に形成された第３剥離片６０ｃは、互いに異なる形状を呈している。
ここで、第３剥離片６０ｃは、上層剥離片に相当する第２剥離片６０ｂに覆われると共に、最下層シート本体５１のうち、第２剥離片６０ｂを剥離したときに露出する領域に形成されている。また、第２剥離片６０ｂは、上層剥離片に相当する第１剥離片６０ａに覆われると共に、第２シート本体５０ｂのうち、第１剥離片６０ａを剥離したときに露出する領域に形成されている。
【００４０】
次に、実施例２のシート状積層印刷物１Ａの作用を説明する。
実施例２のシート状積層印刷物１Ａは、図８（ａ）に示すように、使用する前には剥離片６０が剥離されておらず、複数のシート本体５０が積層されて台紙４０に貼付された外観となっている。つまり、シート状積層印刷物１Ａとしては、最も上側に配置された第１シート本体５０ａの表面の全面が露出している。
【００４１】
そして、このシート状積層印刷物１Ａを使用するには、使用者によって任意の剥離片６０を剥離する。すなわち、第１シート本体５０ａに形成された第１剥離片６０ａを剥離した場合では、図８（ｂ）に示すように、第１剥離片６０ａは、折曲げ線６２から折り返されて裏面が露出する。また、第２シート本体５０ｂのうち、第１剥離片６０ａによって覆われていた領域が露出する。なお、第１剥離片６０ａは、第１シート本体５０ａの一部分に形成されているため、露出した第２シート本体５０ｂの周囲は、第１シート本体５０ａによって囲まれている。
【００４２】
次に、第２シート本体５０ｂに形成された第２剥離片６０ｂを剥離すると、図８（ｃ）に示すように、第２剥離片６０ｂは折曲げ線６２から折り返されて裏面が露出する。このとき、第２剥離片６０ｂは、第１剥離片６０ａに重なり合う。また、最下層シート本体５１のうち、第２剥離片６０ｂによって覆われていた領域が露出する。なお、第２剥離片６０ｂは、第２シート本体５０ｂの一部分に形成されていると共に、第１剥離片６０ａよりも小さい面積である。このため、露出した最下層シート本体５１の周囲には、第２シート本体５０ｂが露出している。
【００４３】
さらに、最下層シート５１に形成された第３剥離片６０ｃを剥離すると、図８（ｄ）に示すように、第３剥離片６０ｃは折曲げ線６２から折り返されて裏面が露出する。また、台紙４０のうち、第３剥離片６０ｃによって覆われていた領域が露出する。なお、第３剥離片６０ｃは、最下層シート本体５１の一部分に形成されていると共に、第２剥離片６０ｃよりも小さい面積である。このため、露出した台紙４０の周囲には、最下層シート本体５１が露出している。
【００４４】
このように、剥離片６０を剥離するごとに異なる部分を露出させることができるが、このとき、各シート本体５０は、表裏両面に互いに異なる印刷が施されている。そのため、図８（ａ）〜図８（ｄ）に示すように、剥離片６０を剥離するたびにシート状積層印刷物１Ａの外観デザインを異ならせることができる。
【００４５】
しかも、実施例２では、各シート本体５０に形成された剥離片（第１剥離片６０ａ〜第３剥離片６０ｃ）が、いずれも切込線６１及び折曲げ線６２によって囲まれている。そのため、剥離片６０を剥離後も、折曲げ線６２を介してこの剥離片６０をシート本体５０に連結したままにすることができる。そのため、剥離済みの剥離片６０を利用して外観デザインを変更することができ、さらにデザイン変更の自由度を向上させることができる。
【００４６】
すなわち、シート状積層印刷物１Ａを帯状の長尺状に形成し、各シート本体５０に多数の剥離片６０を形成する。そして、図９に示すように、例えば天井等に台紙４０を固定し、剥離した剥離片６０を下方に垂らすようにすることで、室内の天井面を装飾する装飾品として活用することができる。
また、図１０に示すように、長尺状のシート状積層印刷物１Ａを所定の長さに切断し、台紙４０を円筒状に丸めて円筒体を形成してから床に自立させる。そして、各シート本体５０に形成した剥離片６０を下方に向けて剥離し、各剥離片６０が円筒体の外周面から垂れ下がるようにし、剥離片６０を花びら等に見立てたオブジェとして活用することもできる。
さらに、図１１に示すように、長尺状のシート状積層印刷物１Ａを所定の長さに切断し、台紙４０を円錐状に丸めて円錐体を形成してから床に自立させる。そして、各シート本体５０に形成した剥離片６０を下方に向けて剥離し、各剥離片６０が円筒体の外周面から垂れ下がるようにし、図１０に示したものとは異なる形状のオブジェとして活用することができる。
【００４７】
なお、各剥離片６０に文字やイラストを印刷することで、シート状積層印刷物１Ａを宣伝用の立て看板や、ポスター、メッセージカード等に活用することもできる。
【００４８】
そして、これらの場合であっても、剥離片６０の剥離する枚数や、位置を任意に決めることで、外観デザインを変更することができ、デザインの自由度の向上を図ることができる。
【００４９】
また、実施例２では、複数のシート本体５０の表裏両面に印刷を施している。そのため、シート本体５０に形成された剥離片６０にも表裏両面に印刷が施されることになる。
これにより、剥離片６０を剥離してシート本体５０から垂れ下がった際、この剥離片６０の表裏両面を目視可能とし、剥離片６０の両面を利用した外観デザインとすることができる。よって、シート状積層印刷物１Ａのデザイン自由度をさらに向上させることができる。
【００５０】
次に、効果を説明する。
実施例２のシート状積層印刷物１Ａにあっては、下記に列挙する効果を得ることができる。
【００５１】
(3) 前記剥離片６０は、前記切込線６１と、前記切込線６１に連続すると共に前記シート本体５０を破断しない折曲げ線６２と、によって区画され、前記シート本体５０に対して前記折曲げ線６２を介して連結している構成とした。
これにより、剥離済みの剥離片６０を利用して外観デザインを変更することができ、さらにデザイン変更の自由度を向上させることができる。
【００５２】
(4) 前記剥離片６０は、両面に印刷が施されている構成とした。
これにより、剥離後に折曲げ線６２を介してシート本体５０に連結した剥離片６０の表裏両面を利用した外観デザインにすることができ、デザイン自由度の向上を図ることができる。
【００５３】
以上、本発明のシート状積層印刷物を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００５４】
上記実施例２では、シート本体５０に形成された剥離片６０が、積層方向で異なる形状にする例を示した。しかしながら、これに限らない。例えば図１２に示すシート状積層印刷物１Ｂのように、各シート本体５０に形成される剥離片６０を、切込線６１及び折曲げ線６２によって区画し、剥離した際に折曲げ線６２を介してシート本体５０に連結する。さらに、各シート本体５０に形成された剥離片６０を同一形状とし、同一の剥離片６０が重なり合うようにしてもよい。
この場合には、実施例１と同様に、複数のシート本体５０を積層して台紙４０に最下層シート本体５１を貼付した後、台紙４０を残して、積層した複数のシート本体５０をハーフカットする。これにより、全ての剥離片６０を一回のカット工程で形成することができ、製造工程が複雑になることを抑制できる。
【００５５】
さらに、図１３に示すシート状積層印刷物１Ｃのように、台紙４０に積層した複数のシート本体７０（第１シート本体７０ａ，第２シート本体７０ｂ）を貼付し、切込線８１及び折曲げ線８２によって囲まれた剥離片８０を各シート本体７０に形成する。このとき、剥離方向（図１３において矢印Ｙで示す方向）に沿って、複数（図１３では二つ）の剥離片８０を配置する。そして、この複数（二つ）の剥離片８０のうち、剥離方向の始端側に設けられた第１剥離片８０ａを、剥離した状態で剥離方向の後端側に設けられた第２剥離片８０ｂに被さる大きさに設定してもよい。
【００５６】
この場合、図１３に示すように、第１シート本体７０ａに形成された第１剥離片８０ａを剥離した際、この第１剥離片８０ａは、折曲げ線８２を介して第１シート本体７０ａに連結したままとなり、第１シート本体７０ａから垂れ下がる。このとき、第１剥離片８０ａは、剥離方向の後端側に設けられた第２剥離片８０ｂに被さり、この第２剥離片８０ｂとの連続感を演出することができる。これにより、連続感を感じさせる複数の剥離片８０を利用した外観デザインとすることができ、さらにデザイン自由度の向上を図ることができる。
【００５７】
また、剥離片３０，６０，８０の形状は、三角形や半楕円等の幾何学的な形状に限らず、文字や、生物や物体などのシルエット等、任意の形状にすることができる。いずれの形状としても、積層方向上側に配置された上層剥離片が、積層方向下側に配置された下層剥離片を覆うことで、下層剥離片も確実に剥離することができる。
【００５８】
また、実施例２では、剥離した剥離片６０を、折曲げ線６２を介してシート本体５０と連結したままにする例を示したが、これに限らない。折曲げ線６２において剥離片６０を切断してもよい。
なお、折曲げ線６２は、実施例２のようにミシン目などで折れ易くしたものであっても、剥離片６０の折る位置を線で示したものであってもいずれでもよい。
【符号の説明】
【００５９】
１，１Ａ，１Ｂ，１Ｃ  シート状積層印刷物帳
１０，４０  台紙
２０，５０，７０  シート本体
２０ａ  第１シート本体
２０ｂ  第２シート本体
２０ｃ  第３シート本体
２１  最下層シート本体
３０，６０，８０  剥離片
３０ａ  第１剥離片
３０ｂ  第２剥離片
３０ｃ  第３剥離片
３０ｄ  第４剥離片
【図１】
2019035783.tif 000003
【図２】
2019035783.tif 000004
【図３】
2019035783.tif 000005
【図４】
2019035783.tif 000006
【図５】
2019035783.tif 000007
【図６】
2019035783.tif 000008
【図７】
2019035783.tif 000009
【図８】
2019035783.tif 000010
【図９】
2019035783.tif 000011
【図１０】
2019035783.tif 000012
【図１１】
2019035783.tif 000013
【図１２】
2019035783.tif 000014
【図１３】
2019035783.tif 000015